(57)【特許請求の範囲】
【請求項１】
平型柔軟ケーブルの接続端部を受け入れるための受入空洞を有し、この受入空洞に複数のターミナルを配置している絶縁性のハウジングと、
上記の受入空洞内に進入してターミナルのコンタクト部との間に平型柔軟ケーブル用の挿入空間を区画するブレードを有するスライダとを備え、
このスライダは、平型柔軟ケーブルの受入空洞への挿抜を許容する上方位置と平型柔軟ケーブルの抜き出しを抑制する下方位置との間で平型柔軟ケーブルの挿抜方向に対して斜めにスライドするように、ハウジングに係合されており、
上記ハウジングは、下方位置に移動するスライダのブレードがコンタクト部側へ近づく方向にスライダを案内するように斜め上方に向く第１の案内面と、上方位置に移動するスライダのブレードがコンタクト部から遠ざかる方向にスライダを案内するように斜め下方に向く第２の案内面とを含み、
上記スライダは、上記第１の案内面によって案内される斜め下方に向く第１の被案内面と、上記第２の案内面によって案内される斜め上方に向く第２の被案内面とを含むことを特徴とする平型柔軟ケーブル用コネクタ。
【請求項２】
下方位置にあるスライダのブレードは、平型柔軟ケーブルの接続端部に横並びに配列された複数の導電性部材を対応するコンタクト部へ押圧接触させると共に、上方位置にあるスライダのブレードは、複数の導電性部材の対応するコンタクト部への押圧接触を解除させることを特徴とする請求項１記載の平型柔軟ケーブル用コネクタ。
【請求項３】
上記ハウジングの受入空洞には、下方位置にあるスライダのブレードにより押された平型柔軟ケーブルを正規の挿入位置にロックするロック爪が設けられ、
このロック爪は、上記平型柔軟ケーブルの接続端部の側縁に形成された引っ掛け部に引っ掛け係合することによりロックすることを特徴とする請求項１又は２記載の平型柔軟ケーブル用コネクタ。
【請求項４】
平型柔軟ケーブルの接続端部を受け入れるための受入空洞を有し、この受入空洞に複数のターミナルを配置している絶縁性のハウジングと、
上記の受入空洞内に進入してターミナルのコンタクト部との間に平型柔軟ケーブル用の挿入空間を区画するブレードを有するスライダとを備え、
このスライダは、平型柔軟ケーブルの受入空洞への挿抜を許容する上方位置と平型柔軟ケーブルの抜き出しを抑制する下方位置との間で平型柔軟ケーブルの挿抜方向に対して斜めにスライドするように、ハウジングに係合されており、
上記ハウジングの受入空洞には、下方位置にあるスライダのブレードにより押された平型柔軟ケーブルを正規の挿入位置にロックするロック爪が設けられ、
このロック爪は、上記平型柔軟ケーブルの接続端部の側縁に形成された引っ掛け部に引っ掛け係合することによりロックし、
上記スライダが上方位置にスライドされるときに、コンタクト部が平形柔軟ケーブルの接続端部を押して、平型柔軟ケーブルの引っ掛け部とロック爪との引っ掛け係合を解除することを特徴とする平型柔軟ケーブル用コネクタ。
【請求項５】
一部のコンタクト部に代えて、上記ロック爪のロックを解除するための専用の弾性部材を備えることを特徴とする請求項４記載の平型柔軟ケーブル用コネクタ。
【請求項６】
平型柔軟ケーブルの接続端部を受け入れるための受入空洞を有し、この受入空洞に複数のターミナルを配置している絶縁性のハウジングと、
上記の受入空洞内に進入してターミナルのコンタクト部との間に平型柔軟ケーブル用の挿入空間を区画するブレードを有するスライダとを備え、
このスライダは、平型柔軟ケーブルの受入空洞への挿抜を許容する上方位置と平型柔軟ケーブルの抜き出しを抑制する下方位置との間で平型柔軟ケーブルの挿抜方向に対して斜めにスライドするように、ハウジングに係合されており、
上記ハウジングの長手方向に対向する一対の側壁部に、上方位置にあるスライダに係合してスライダ抜脱を防止する抜け止め用係合部をそれぞれ設け、各抜け止め用係合部は、スライダの斜めスライドを案内する案内面を含むことを特徴とする平型柔軟ケーブル用コネクタ。
【発明の詳細な説明】
【０００１】
【発明の属する技術分野】
本発明は平型柔軟ケーブル（ＦＦＣ：フレキシブルフラットケーブル、ＦＰＣ：フレキシブルプリント基板が含まれる）の接続端部を接続できるようにした電気コネクタに関するものである。
【０００２】
【従来の技術】
従来、平型柔軟ケーブルの接続端部を接続できるようにした電気コネクタは、平型柔軟ケーブルの接続端部を受け入れるための受入空洞を有する絶縁性のハウジングを有し、この受入空洞に複数のターミナルを所定のピッチで並べて装着している。また、電気コネクタは、ハウジングに平型柔軟ケーブルの挿抜方向に沿ってスライドできるように係合されるスライダを備えている。
【０００３】
このスライダを上方位置に位置させた状態で平型柔軟ケーブルを受入空洞内の正規位置まで挿入した後、スライダを下降させることにより、スライダに備えられたブレードによって、平型柔軟ケーブルの接続端部をターミナルのコンタクト部に押圧し、平型柔軟ケーブルが抜けないようにしている。
【０００４】
【発明が解決しようとする課題】
ところで、平型柔軟ケーブルを挿入する際に、平型柔軟ケーブルは受入空洞内で多少傾くことがある。このとき、上方位置にあるスライダのブレードとコンタクト部との間の隙間が狭いと、平型柔軟ケーブルの挿入側の端縁がコンタクト部の上向きの傾斜面に当接するため、平型柔軟ケーブルを正規の挿入位置まで挿入し難いという問題があった。
【０００５】
そこで、ブレードとコンタクト部との隙間を広く設定することも考えられるが、この場合、スライダが下方位置にある状態で、平型柔軟ケーブルをコンタクト部へ押圧する力が弱くなり、その結果、電気コネクタに接続された平型柔軟ケーブルが不必要に抜けてしまうおそれがある。
本発明は上記課題に鑑みてなされたものであり、平型柔軟ケーブルを容易に装着することができ、しかも不必要に抜けることのない平型柔軟ケーブル用コネクタを提供することを目的とする。
【０００６】
【課題を解決するための手段】
上記目的を達成するための課題解決手段として、請求項１記載の発明の態様は、平型柔軟ケーブルの接続端部を受け入れるための受入空洞を有し、この受入空洞に複数のターミナルを配置している絶縁性のハウジングと、上記の受入空洞内に進入してターミナルのコンタクト部との間に平型柔軟ケーブル用の挿入空間を区画するブレードを有するスライダとを備え、このスライダは、平型柔軟ケーブルの受入空洞への挿抜を許容する上方位置と平型柔軟ケーブルの抜き出しを抑制する下方位置との間で平型柔軟ケーブルの挿抜方向に対して斜めにスライドするように、ハウジングに係合されており、上記ハウジングは、下方位置に移動するスライダのブレードがコンタクト部側へ近づく方向にスライダを案内するように斜め上方に向く第１の案内面と、上方位置に移動するスライダのブレードがコンタクト部から遠ざかる方向にスライダを案内するように斜め下方に向く第２の案内面とを含み、上記スライダは、上記第１の案内面によって案内される斜め下方に向く第１の被案内面と、上記第２の案内面によって案内される斜め上方に向く第２の被案内面とを含むことを特徴とするものである。
【０００７】
本態様では、スライダを平型柔軟ケーブルの挿抜方向に対して斜めにスライドするようにしているので下記の利点がある。すなわち、スライダを上昇させた状態で挿入空間を広くできるので、平型柔軟ケーブルが多少傾いても、これを容易に挿入することができ、しかも、スライダを下降させた状態で挿入空間を狭くすることができるので、確実な平型柔軟ケーブルの抜け止めを達成することができる。また、従来、ブレードを無理嵌めして下方へスライドするため、例えばＦＰＣの下部が座屈するおそれがあったが、これを略解消することができる。ここで、上方位置と下方位置の間で斜めにスライドするようにスライダを案内するとは、上方位置と下方位置の間の少なくとも一部でスライダを斜めに案内すれば良いという趣旨である。
【０００８】
請求項２記載の発明の態様は、請求項１において、下方位置にあるスライダのブレードは、平型柔軟ケーブルの接続端部に横並びに配列された複数の導電性部材を対応するコンタクト部へ押圧接触させると共に、上方位置にあるスライダのブレードは、複数の導電性部材の対応するコンタクト部への押圧接触を解除させることを特徴とするものである。
【０００９】
本態様では、スライダを下降させた状態で平型柔軟ケーブルの導電性部材とコンタクト部との間に確実な接触圧を得ることができ、しかも、スライダを上昇させた状態で上記接触圧を解除することができる。
請求項３記載の発明の態様は、請求項１又は２において、上記ハウジングの受入空洞には、下方位置にあるスライダのブレードにより押された平型柔軟ケーブルを正規の挿入位置にロックするロック爪が設けられ、このロック爪は、上記平型柔軟ケーブルの接続端部の側縁に形成された引っ掛け部に引っ掛け係合することによりロックすることを特徴とするものである。
【００１０】
本態様では、正規の挿入位置に挿入された平型柔軟ケーブルが下方位置にあるスライダのブレードにより押され、平型柔軟ケーブルの側縁の引っ掛け部がロック爪に係合する。これにより、平型柔軟ケーブルが正規の挿入位置にロックされ、絶対抜けないようになる。
請求項４記載の発明の態様は、平型柔軟ケーブルの接続端部を受け入れるための受入空洞を有し、この受入空洞に複数のターミナルを配置している絶縁性のハウジングと、上記の受入空洞内に進入してターミナルのコンタクト部との間に平型柔軟ケーブル用の挿入空間を区画するブレードを有するスライダとを備え、このスライダは、平型柔軟ケーブルの受入空洞への挿抜を許容する上方位置と平型柔軟ケーブルの抜き出しを抑制する下方位置との間で平型柔軟ケーブルの挿抜方向に対して斜めにスライドするように、ハウジングに係合されており、上記ハウジングの受入空洞には、下方位置にあるスライダのブレードにより押された平型柔軟ケーブルを正規の挿入位置にロックするロック爪が設けられ、このロック爪は、上記平型柔軟ケーブルの接続端部の側縁に形成された引っ掛け部に引っ掛け係合することによりロックし、上記スライダが上方位置にスライドされるときに、コンタクト部が平形柔軟ケーブルの接続端部を押して、平型柔軟ケーブルの引っ掛け部とロック爪との引っ掛け係合を解除することを特徴とするものである。
【００１１】
本態様では、平型柔軟ケーブルの導電性部材との接圧を確保するためのコンタクト部の弾性反発力を用いて、平型柔軟ケーブルの引っ掛け部とロック爪との引っ掛け係合を解除するので、ロック解除を確実且つワンタッチで行うことができると共に、部品点数を削減することができる。
請求項５記載の発明の態様では、請求項４において、一部のコンタクト部に代えて、上記ロック爪のロックを解除するための専用の弾性部材を備えることを特徴とするものである。
【００１２】
平型柔軟ケーブルの導電性部材との接圧を確保するためのコンタクト部によって、ロック爪のロック解除を行う場合、コンタクト部の弾性反発力の設定が非常に困難となる。というのは、ロック爪のロック解除を確実にするためには、コンタクト部の弾性反発力をできるだけ強くすることが好ましい一方、コンタクト部の弾性反発力が強過ぎると、平型柔軟ケーブルの挿抜を繰り返すうちに導電性部材を剥がしてしまうおそれがあるからである。
【００１３】
これに対して、本態様では、ロック解除用として専用の弾性部材を設けるので、コンタクト部としては導電性部材に損傷を与えることのない相対的に弱い弾性を有するものとし、弾性部材としては、ロック解除を確実に行うことのできる相対的に強い弾性を有するものとすることができる。なお、弾性部材は一部のコンタクト部に代えて設置する疑似コンタクト部となるので、他の部品を設計変更する必要がなく、製造コストを安くすることができる。
【００１４】
請求項６記載の発明の態様では、平型柔軟ケーブルの接続端部を受け入れるための受入空洞を有し、この受入空洞に複数のターミナルを配置している絶縁性のハウジングと、上記の受入空洞内に進入してターミナルのコンタクト部との間に平型柔軟ケーブル用の挿入空間を区画するブレードを有するスライダとを備え、このスライダは、平型柔軟ケーブルの受入空洞への挿抜を許容する上方位置と平型柔軟ケーブルの抜き出しを抑制する下方位置との間で平型柔軟ケーブルの挿抜方向に対して斜めにスライドするように、ハウジングに係合されており、上記ハウジングの長手方向に対向する一対の側壁部に、上方位置にあるスライダに係合してスライダ抜脱を防止する抜け止め用係合部をそれぞれ設け、各抜け止め用係合部は、スライダの斜めスライドを案内する案内面を含むことを特徴とするものである。
【００１５】
本態様では、スライダの長手方向の両端部でスライダの斜めスライドを案内することになり、スライダを安定して案内することができる。
【００１６】
【発明の実施の形態】
本発明の好ましい実施の形態を添付図面を参照しつつ説明する。
図１は本発明の一実施の形態の平型柔軟ケーブル用コネクタ（以下、単にコネクタとも言う）の正面図であり、図２はコネクタの平面図であり、図３はコネクタの側面図であり、図４はコネクタの分解斜視図であり、図５はコネクタの一部破断分解斜視図であり、図６は図１のＶＩ−ＶＩ線に沿う断面図である。
【００１７】
図１〜図４を参照して、本コネクタ１は、絶縁性のハウジング２と、このハウジング２にスライド可能に係合されたスライダ３と、ハウジング２にそれぞれ複数個装着された２種類のターミナル４，５とで構成されている。
ハウジング２は絶縁性のプラスチックを箱型に成形してなるもので、上面部６、並びにこの上面部６からそれぞれ下方へ延びる前壁部７、後壁部８及び一対の側壁部９，１０を備えている。また、ハウジング２には、略中央の長手方向に沿ってＦＰＣの接続端部を受け入れるための受入空洞１１が形成され、この受入空洞１１はハウジング２の上面部６及び底面部１２に開口している。
【００１８】
上面部６の開口部１３は平型柔軟ケーブルとしてのＦＰＣ１４の接続端部１５（図７参照）を受入空洞１１内に挿入するようにするためのものであり、また、底面部１２の開口部１６は、ターミナル４，５をハウジング２に装着するためのものである。受入空洞１１の対向する内壁には、下部でＵ字状に連なる一対の仕切り壁１７がそれぞれ所定のピッチで形成され、ハウジング２の長手方向に隣接して相対向する仕切り壁１７間がターミナル装着溝１８とされている。４９は、ハウジング２の受入空洞１１内の正規位置に挿入されたＦＰＣ１４の後述する引っ掛け部４８に係合してＦＰＣ１４の抜け止めをするロック爪である。ロック爪４９は、受入空洞１１の後側の内壁の幅方向端部の上部に形成された係合突起により構成されている。
【００１９】
図３及び図４を参照して、各側壁部９，１０の上部の略中央には、スライダ３の上方位置を規定するストッパとして働く係合突起１９がそれぞれ形成されている。各係合突起１９は、後述するスライダ３の斜め移動を案内する案内面２０を含んでいる。２１は各側壁部９，１０において上下に延びる突条であり、その上下端は、スライダ３の対応する側壁部２７，２８に係合してスライダ３のスライド状態を仮保持するための保持段部を構成している。
【００２０】
図１〜図４を参照して、スライダ３は絶縁性のプラスチックを成形してなるもので、上記ハウジング２の上面部６を覆う大きさとした上面部２４と、この上面部２４からそれぞれ下方へ延びる前壁部２５、後壁部２６及び一対の側壁部２７，２８を備えている。これら前壁部２５、後壁部２６及び一対の側壁部２７，２８が対応するハウジング２の前壁部７、後壁部８及び一対の側壁部９，１０を覆いながらこれらに摺接して上下にスライドできるようにしてある。
【００２１】
上面部２４の中央部には、長手方向に延びてＦＰＣ１４を挿通可能とする開口部２９がハウジング２の開口部１３と対向させて形成してある。この開口部２９の一側縁に沿うようにしてブレード３０が下方に延びており、このブレード３０がハウジング２の受入空洞１１内に進入するようにしてある。
また、図３及び図４を参照して、各側壁部２７，２８の中央部には上端から下方へ延びる長尺の開口窓３１が形成されている。開口窓３１内にはハウジング２の係合突起１９が嵌め入れられ、係合突起１９が開口窓３１の内縁部に係合することにより、上記したようなスライダ３の抜け止め用のストッパの機能と、スライダ３のスライドを案内する機能を果たす。特に、開口窓３１の内縁部の下部には、係合突起１９の案内面２０に係合する傾斜状の被案内面３２が形成されている。
【００２２】
各側壁部２７，２８には、開口窓３１の下半部を挟んだ両側位置で、下端から高さ方向中央部まで延びる一対のスリット３３，３４が形成されており、これらスリット３３，３４間に区画される領域が外側へ（側方へ）弾性的に拡がることのできる弾性舌片３５を構成している。弾性舌片３５はスライダ３をハウジング２に被せる際に一旦外側へ弾性的に拡がることにより、係合突起１９が開口窓３１に導入されることを許容する。３６は係合突起１９の下面からなるストッパ面であり、３７は開口窓３１の内縁下部からなる当接面である。ストッパ面３６が当接面３７に当接することにより、スライダ３の上方位置が規定されると共に抜け止めされる。
【００２３】
スライダ３はハウジング２に対して、図６及び図９に示す下方位置と、図８に示す上方位置との間を上下に沿ってスライドするが、ＦＰＣ１４の挿抜方向（すなわち上下方向Ｘ１，Ｘ２）に対して斜めにスライドするようにハウジング２に係合されている。すなわち、持ち上げられたスライダ３が上方位置に近づくときに上方Ｘ１及び前方Ｙ１に斜め移動し、また、引き降ろされたスライダ３が下方位置に近づくときに下方Ｘ２及び後方Ｙ２に斜め移動するようにしてある。
【００２４】
これを実現するための具体的な係合構造としては下記である。すなわち、図３及び図４に示すように、前壁部７の左右の端部には、それぞれ上下に延びる凹溝２２が形成されている（図４では右端部の凹溝２２のみを示してある。）。各凹溝２２の溝底面の上部はスライダ３の斜め移動を案内する傾斜状の案内面２３を含んでいる。図５及び図６に示すように、スライダ３の前壁部２５の対応する下端部の内面には、凹溝２２に係合する係合突起５０が形成されている。係合突起５０の上面は案内面２３に対応する被案内面５７を含んでいる。スライダ３を下方位置から上方位置に移動させるときに、上記被案内面５７がハウジング２の案内面２３によって案内されることにより、スライダ３が前斜め上方へ移動するようになっている。
【００２５】
また、図５及び図６を参照して、ハウジング２の後壁部８には、上下に延びる第１及び第２の凹溝５１，５２が上下に所定間隔をあけて並んで形成されている。第１の凹溝５１は上方へ開放しており、その内壁の下部は傾斜状の案内面５３を含んでいる。また、第２の凹溝５２は下方に開放しており、その内壁の上部はストッパ５５を含んでいる。このストッパ５５は、スライダ３の後壁部２６の対応する下端部の内面に形成された係合突起５４を係合させる当接面からなる。
【００２６】
また、スライダ３の後壁部２６の内面は、係合突起５４の上方に所定の間隔をあけて傾斜状の被案内面５６を有している。スライダ３を上方位置から下方位置へ移動させるときに、上記被案内面５６がハウジング２の案内面５３によって案内されることにより、スライダ３が後ろ斜め下方へ移動するようになっている。
図６を参照して、２種類のターミナル４，５は、受入空洞１１の内壁に対向するように形成されたターミナル装着溝１８の一方に列に装着するターミナル４と、他方の列に装着するターミナル５とで、それぞれ形状を異ならせて板金から打ち抜かれたものである。一方のターミナル４は、ターミナル装着溝１８に係止される本体部３８の下端にリード部３９が直角状に連続していると共に、本体部３８の上端から折り返すように略Ｕ字状のコンタクト部４０が連続している。
【００２７】
他方のターミナル５は、ターミナル装着溝１８に係止される本体部４１の下端にリード部４２が直角状に連続していると共に、本体部４１の上端から略くの字形形状をなすコンタクト部４３が連続している。両ターミナル４，５のコンタクト部４０，４３はＦＰＣ１４の装着方向に沿って所定の距離をあけた状態で直線的に配置されている。
【００２８】
スライダ３のブレード３０は、受入空洞１１に進入するときに、図６に示すようにターミナル４側のターミナル装着溝１８のための仕切り壁１７に隣接して進入する位置に設けられている。上記のように直線的に配置されたコンタクト部４３，４０は受入空洞１１内に進入したブレード３０の一側面４４に臨んで対向する。受入空洞１１内にＦＰＣ１４が挿入されない状態では、図６に示すように、各コンタクト部４３，４０はその弾性によりブレード３０の一側面４４に略当接する状態となっている。
【００２９】
図７はＦＰＣ１４の接続端部１５に形成されている導電性部材としての接続パッド４５，４６を示したものである。ＦＰＣ１４は片面に導電ラインを設けた、いわゆる片面ＦＰＣであって、各導電ラインの接続パッド４５，４６が接続端部１５において、ＦＰＣ１４の長手方向で二段に配置されている。両接続パッド４５，４６間の距離はコンタクト部４３，４０間の距離と一致するようにしてある。また、ＦＰＣ１４は、接続端部１５の先端側を幅広とすることにより、接続端部１５の各側縁４７に、ロック爪４９に引っ掛け係合するための引っ掛け部４８をそれぞれ設けている。
【００３０】
ＦＰＣ１４の接続端部１５をコネクタ１に接続するにあたっては、スライダ３を図６に示す下方位置から図８に示す上方位置へとスライダ３を持ち上げ、スライダ３の側壁部２７，２８の下端縁をハウジング２の側壁部９，１０の突条２１の上端の保持段部に係合させて、引き上げ状態に維持する。上方位置へと持ち上げられるスライダ３は、上方位置に近づいたときに、スライダ３の傾斜状の被案内面５７がハウジング２の傾斜状の案内面２３によって案内されることにより、前斜め上方へスライドする。これにより、図８に示すように、スライダ３のブレード３０の一側面４４と上側のコンタクト部４３との間にＦＰＣ１４の接続端部１５を挿入するための十分な広さを持つ挿入空間Ｓが形成される。
【００３１】
次いで、図１０及び図１１（ａ）に示すように、受入空洞１１内の正規の挿入位置まで、ＦＰＣ１４の接続端部１５を挿入する。受入空洞１１内には、十分な広さの挿入空間Ｓが確保されているので、ＦＰＣ１４の接続端部１５を正規位置まで容易に挿入することができる。スライダ３が上方位置にある状態で、この正規の挿入位置にあるＦＰＣ１４の接続端部１５の引っ掛け部４８がロック爪４９の前下方に位置する。接続端部１５はコンタクト部４３，４０［図１０及び図１１（ａ）ではコンタクト部４３のみを示してある。］によって前方Ｙ１へ付勢されているので、引っ掛け部４８はロック爪４９に係合していない。
【００３２】
次に、図９に示すようにスライダ３を下方位置へ降ろすと、スライダ３が後方Ｙ２へ所定量（ＦＰＣ１４の接続端部１５の厚み程度で十分であり、例えば０．３〜０．４ｍｍに設定される。）移動される。これにより、ブレード３０が両コンタクト部４３，４０と対向する位置となり、ブレード３０がＦＰＣ１４の接続端部１５をコンタクト部４３，４０側に押し付ける。この結果、各ターミナル４，５のコンタクト部４０，４３を弾性変形させた状態で、コンタクト部４０，４３と接続パッド４５，４６が、それぞれ１対１の関係で弾性接触して電気的接続が確保される。
【００３３】
また、図１１（ｂ）に示すように、下方位置にあるスライダ３のブレード３０がＦＰＣ１４の接続端部１５を、コンタクト部４０，４３の弾性反発力に抗して上記の所定量に相当する所定量ｄだけ後方Ｙ２へ移動させることにより、ＦＰＣ１４の接続端部１５の引っ掛け部４８がロック爪４９の下方に入り、ＦＰＣ１４の抜け止めロックが達成される。
【００３４】
逆に、装着されているＦＰＣ１４をハウジング２から取り外すときには、上記の逆の動作で、スライダ３を図１１（ｂ）に示す下方位置から図１１（ａ）に示す上方位置へ引き上げると、ブレード３０が前方Ｙ１へ移動するので、ＦＰＣ１４の接続端部１５がコンタクト部４０，４３の弾性反発力によって、上記の所定量ｄだけ前方Ｙ１へ押し出され、その結果、図１１（ａ）に示すようにＦＰＣ１４の引っ掛け部４８とロック爪４９との係合が解除されて、ＦＰＣ１４を受入空洞１１から抜き出すことが可能となる。
【００３５】
本実施の形態では、スライダ３を引き上げた状態で挿入空間Ｓを広く確保できるので、ＦＰＣ１４を容易に挿抜することができ、しかも、スライダ３を下降させた状態では、ブレード３０によってＦＰＣ１４の接続端部１５をコンタクト部４０，４３に確実に押圧して、確実な電気的接続と共に確実なＦＰＣ１４の抜け止めを達成することができる。また、従来、ブレードを無理嵌めして下方へスライドするため、ＦＰＣ１４の下部が座屈するおそれがあったが、これを略解消することができる。
【００３６】
特に、正規の挿入位置に挿入されたＦＰＣ１４が下方位置にあるスライダ３のブレード３０により押されて、ＦＰＣ１４の接続端部１５の側縁４７の引っ掛け部４８がロック爪に係合するので、ＦＰＣ１４が正規の挿入位置にロックされ、絶対抜けないようになる。
また、スライダ３を引き上げたときに、コンタクト部４０，４３の弾性反発力を用いて、ＦＰＣ１４の引っ掛け部４８とロック爪４９との引っ掛け係合を自動的に解除することができるので、ロック解除を確実且つワンタッチで行うことができると共に、部品点数の削減を通じて製造コストを安価にすることができる。
【００３７】
また、スライダ３の抜け止め機能を果たすために両側壁部９，１０に形成された係合突起１９が案内面２０を含むので、スライダ３の長手方向の両端部でスライダ３の斜めスライドを案内することになり、スライダ３を安定して案内することができる。
なお、本発明は上記実施の形態に限定されるものではなく、例えば、上記の実施の形態では、ＦＰＣ１４の接続パッド４５，４６との接圧をとるためのコンタクト部４０，４３を用いて、ロック爪４９のロック解除を実施したが、ロック解除用として専用の弾性部材を設けるようにしても良い。この場合、コンタクト部としては接続パッド４５，４６に損傷を与えることのない相対的に弱い弾性を有するものとし、弾性部材としては、ロック解除を確実に行うことのできる相対的に強い弾性を有するものとすることができる。なお、弾性部材は一部のコンタクト部と同様の形状のものをコンタクト部が装着されるコンタクト装着溝に配置しておけば良いので、他の部品を設計変更する必要がなく、製造コストを安くすることができる。その他、本発明の範囲で種々の変更を施すことができる。
【００３８】
【発明の効果】
請求項１記載の発明では、スライダを平型柔軟ケーブルの挿抜方向に対して斜めにスライドするようにしているので下記の利点がある。すなわち、スライダを上昇させた状態で挿入空間を広くできるので、平型柔軟ケーブルが多少傾いても、これを容易に挿入することができ、しかも、スライダを下降させた状態で挿入空間を狭くすることができるので、確実な平型柔軟ケーブルの抜け止めを達成することができる。また、従来、ブレードを無理嵌めして下方へスライドするため、例えばＦＰＣの下部が座屈するおそれがあったが、これを略解消することができる。
【００３９】
請求項２記載の発明では、スライダを下降させた状態で平型柔軟ケーブルの導電性部材とコンタクト部との間に確実な接触圧を得ることができ、しかも、スライダを上昇させた状態で上記接触圧を解除することができる。
請求項３記載の発明では、正規の挿入位置に挿入された平型柔軟ケーブルが下方位置にあるスライダのブレードにより押され、平型柔軟ケーブルの側端縁の引っ掛け部がロック爪に係合する。これにより、平型柔軟ケーブルが正規の挿入位置にロックされ、絶対抜けないようになる。
【００４０】
請求項４記載の発明では、平型柔軟ケーブルの導電性部材との接圧を確保するためのコンタクト部の弾性反発力を用いて、平型柔軟ケーブルの引っ掛け部とロック爪との引っ掛け係合を自動的に解除するので、ロック解除を確実且つワンタッチで行うことができると共に、部品点数の削減を通じて製造コストを安くできる。
【００４１】
請求項５記載の発明では、ロック解除用として専用の弾性部材を設けるので、コンタクト部としては導電性部材に損傷を与えることのない相対的に弱い弾性を有するものとし、弾性部材としては、ロック解除を確実に行うことのできる相対的に強い弾性を有するものとすることができる。なお、弾性部材は一部のコンタクト部に代えて設置する疑似コンタクト部となるので、他の部品を設計変更する必要がなく、製造コストを安くすることができる。
【００４２】
請求項６記載の発明では、スライダの長手方向の両端部でスライダの斜めスライドを案内することになり、スライダを安定して案内することができる。
【図面の簡単な説明】
【図１】本発明の一実施の形態の平型柔軟ケーブル用コネクタの正面図である。
【図２】コネクタの平面図である。
【図３】コネクタの側面図である。
【図４】コネクタの分解斜視図である。
【図５】コネクタの一部破断分解斜視図である。
【図６】図１のＶＩ−ＶＩ線に沿う断面図であり、スライダが下方位置にある状態を示している。
【図７】ＦＰＣの接続端部の平面図である。
【図８】スライダが上方位置にある状態のコネクタの断面図である。
【図９】ＦＰＣの接続端部を装着したコネクタの断面図である。
【図１０】ＦＰＣの接続端部及びハウジングの要部の一部破断斜視図である。
【図１１】（ａ）及び（ｂ）は挿入されたＦＰＣの接続端部の抜け止めが達成される状態を順次に示す概略断面図であり、ハッチングを省略したものである。
【符号の説明】
１    コネクタ
２    ハウジング
３    スライダ
４，５  ターミナル
１１  受入空洞
１４  ＦＰＣ（平型柔軟ケーブル）
１５  接続端部
１９  係合突起（抜け止め用係合部）
２０  案内面
２２  凹溝
２３  案内面
３０  ブレード
４０，４３  コンタクト部
４５，４６  接続パッド（導電性部材）
４７  側縁
４８  引っ掛け部
４９  ロック爪
５０  係合突起
５１  第１の凹溝
５２  第２の凹溝
５３  案内面
５４  係合突起
５５  ストッパ
５６，５７  被案内面
Ｓ    挿入空間
【図１】
0004248650.tif 000002
【図２】
0004248650.tif 000003
【図３】
0004248650.tif 000004
【図４】
0004248650.tif 000005
【図５】
0004248650.tif 000006
【図６】
0004248650.tif 000007
【図７】
0004248650.tif 000008
【図８】
0004248650.tif 000009
【図９】
0004248650.tif 000010
【図１０】
0004248650.tif 000011
【図１１】
0004248650.tif 000012